(57)【要約】    【課題】  使用箇所の状況に応じ、水平状の吸着対象面と垂直状の吸着対象面を選択して吸盤部を吸着させ、対象物品の収容又は対象物品の取り出しを行うことができる物品収容支持器の提供。    【解決手段】  収容部Ａは、下向きに凹の底部凹部Ａ１を底部に有し、後向きに凹の背部凹部Ａ２を背部に有する。支持部Ｂは、吸着部が下方を向いた吸盤部Ｂ１を有し、その吸盤部Ｂ１は底部凹部Ａ１の下方に位置する。背部凹部Ａ２が下向きに凹の状態で底部に位置し、底部凹部Ａ１が後向きに凹の状態で背部に位置する場合に、収容部Ａは前方と上方にわたり開口し、吸盤部Ｂ１は、吸着部が後方を向いた状態で前記底部凹部Ａ１の後方に位置する。【選択図】      図１
2014132953.tif 000002
【特許請求の範囲】
【請求項１】
対象物品を収容するための収容部と、対象面に吸着して前記収容部を支持する支持部を備えてなる物品収容支持器であって、
前記収容部は、下向きに凹の底部凹部を底部の内面側に有し、後向きに凹の背部凹部を背部の内面側に有すると共に、前方と上方にわたり開口するものであり、
前記支持部は、吸着部が下方を向いた吸盤部を有し、その吸盤部は、前記収容部のうち前記底部凹部の下方に位置するものであり、
前記収容部を、前記背部凹部が下向きに凹の状態で底部に位置し、前記底部凹部が後向きに凹の状態で背部に位置する姿勢とした場合に、その収容部は前方と上方にわたり開口し、前記吸盤部は、吸着部が後方を向いた状態で前記底部凹部の後方に位置することを特徴とする物品収容支持器。
【請求項２】
下向きに凹の状態で底部に位置する底部凹部内から液体が外部へ流下し得る底部流出孔部を有する請求項１記載の物品収容支持器。
【請求項３】
下向きに凹の状態で底部に位置する背部凹部内から液体が外部へ流下し得る背部流出孔部を有する請求項１又は２記載の物品収容支持器。
【請求項４】
吸盤部が水平な吸着対象面上に吸着した支持部により支持された状態の収容部において下向きに凹の状態で底部に位置する底部凹部内の最低位置が前記吸盤部の基部の直上に位置し、
上記底部流出孔部が、前記底部凹部内の最低位置に上部開口を有し、吸盤部の基部の側方に下部開口を有する連通孔状をなす請求項２記載の物品収容支持器。
【請求項５】
下向きに凹の状態で底部に位置する背部凹部内から液体が外部へ流下し得る背部流出孔部を有する請求項４記載の物品収容支持器。
【請求項６】
上記収容部と支持部は、可撓性材料製であって、一体をなす請求項１乃至５の何れか１項に記載の物品収容支持器。
【発明の詳細な説明】
【技術分野】
【０００１】
本発明は、洗浄具等の物品を収容支持し得る物品収容支持器に関する。
【背景技術】
【０００２】
従来、洗浄具等の物品を収容支持し得る物品収容支持器としては、特開２００１−３７６５９号の図４に示される水回り用受け皿のように台所の流し台や洗面台などのシンクの天板から上方へ立ち上がった壁面に吸盤を用いて吸着固定して使用されるものや、図１に示される水回り用受け皿のように台所の流し台や洗面台などの天板に吸盤を用いて吸着固定して使用されるものがある。
【０００３】
これらの物品収容支持器は、吸盤を用いて固定することができるため、誤って落下させるというような不都合が生じることを防ぐことができるが、吸盤による吸着固定の対象が壁面等の垂直状の面と天板等の水平状の面の一方のみであるため、それぞれ使用態様が限定されてしまい、必ずしも使用者の意図に応じた使用を行い得ないという課題があった。
【先行技術文献】
【特許文献】
【０００４】
【特許文献１】特開２００１−３７６５９号公報
【発明の概要】
【発明が解決しようとする課題】
【０００５】
本発明は、従来技術に存した上記のような課題に鑑み行われたものであって、その目的とするところは、使用箇所の状況に応じ、水平状の吸着対象面と垂直状の吸着対象面を選択して吸盤部を吸着させ、何れの場合も対象物品の収容又は対象物品の取り出しを行うことができる物品収容支持器を提供することにある。
【課題を解決するための手段】
【０００６】
(1) 上記目的を達成する本発明の物品収容支持器は、
対象物品を収容するための収容部と、対象面に吸着して前記収容部を支持する支持部を備えてなる物品収容支持器であって、
前記収容部は、下向きに凹の底部凹部を底部の内面側に有し、後向きに凹の背部凹部を背部の内面側に有すると共に、前方と上方にわたり開口するものであり、
前記支持部は、吸着部が下方を向いた吸盤部を有し、その吸盤部は、前記収容部のうち前記底部凹部の下方に位置するものであり、
前記収容部を、前記背部凹部が下向きに凹の状態で底部に位置し、前記底部凹部が後向きに凹の状態で背部に位置する姿勢とした場合に、その収容部は前方と上方にわたり開口し、前記吸盤部は、吸着部が後方を向いた状態で前記底部凹部の後方に位置することを特徴とする。
【０００７】
水平状の吸着対象面上に吸盤部を吸着させることにより、底部凹部が底部において下向きに凹、背部凹部が背部において後向きに凹となる姿勢で収容部が支持部によって支持される。
【０００８】
この状態において、前方と上方にわたる開口を介して収容部に対する対象物品の収容又は取り出しを行うことができ、対象物品の収容は、下向きに凹の状態の底部凹部により対象物品を受止した状態で行われる。
【０００９】
また、収容部を、背部凹部が下向きに凹の状態で底部に位置し、底部凹部が後向きに凹の状態で背部に位置する姿勢として、吸着部が後方を向いた状態の吸盤部を垂直状の吸着対象面に吸着させることにより、収容部を支持部によって支持することができる。
【００１０】
この状態においても、前方と上方にわたる開口を介して収容部に対する対象物品の収容又は取り出しを行うことができ、対象物品の収容は、下向きに凹の状態の背部凹部により対象物品を受止した状態で行われる。
【００１１】
(2) 本発明の物品収容支持器は、下向きに凹の状態で底部に位置する底部凹部内から液体が外部へ流下し得る底部流出孔部を有するものとすることができる。
【００１２】
底部凹部が底部において下向きに凹、背部凹部が背部において後向きに凹となる姿勢で、水平状の吸着対象面上に吸盤部を吸着させることにより収容部が支持部によって支持された状態において、収容部に収容されて底部凹部により受止された対象物品に液体が随伴する場合等において、底部流出孔部を通じて底部凹部内から外部へ液体が流下することにより、対象物品又は底部凹部内の液切りが行われる。
【００１３】
(3) 本発明の物品収容支持器は、下向きに凹の状態で底部に位置する背部凹部内から液体が外部へ流下し得る背部流出孔部を有するものとすることができる。
【００１４】
背部凹部が底部において下向きに凹、底部凹部が背部において後向きに凹となる姿勢で、垂直状の吸着対象面に吸盤部を吸着させることにより収容部が支持部によって支持された状態において、収容部に収容されて背部凹部により受止された対象物品に液体が随伴する場合等において、背部流出孔部を通じて背部凹部内から液体が流下することにより、対象物品又は背部凹部内の液切りが行われる。
【００１５】
(4) 本発明の物品収容支持器は、吸盤部が水平な吸着対象面上に吸着した支持部により支持された状態の収容部において下向きに凹の状態で底部に位置する底部凹部内の最低位置が前記吸盤部の基部の直上に位置し、
上記底部流出孔部が、前記底部凹部内の最低位置に上部開口を有し、吸盤部の基部の側方に下部開口を有する連通孔状をなすものとすることができる。
【００１６】
底部流出孔部が、下向きに凹の状態で底部に位置する底部凹部内の最低位置に上部開口を有し、吸盤部の基部の側方に下部開口を有する連通孔状をなすことにより、吸盤部の吸着機能を害することなく、底部流出孔部を通じて対象物品又は底部凹部内の液切りが効果的に行われる。
【００１７】
(5) 本発明の物品収容支持器は、下向きに凹の状態で底部に位置する背部凹部内から液体が外部へ流下し得る背部流出孔部を有するものとすることができる。
【００１８】
背部凹部が底部において下向きに凹、底部凹部が背部において後向きに凹となる姿勢で、垂直状の吸着対象面に吸盤部を吸着させることにより収容部が支持部によって支持された状態において、収容部に収容されて背部凹部により受止された対象物品に液体が随伴する場合等において、背部流出孔部を通じて背部凹部内から液体が外部へ流下することにより、対象物品又は背部凹部内の液切りが行われる。
【００１９】
(6) 本発明の物品収容支持器は、上記収容部と支持部は、可撓性材料製であって、一体をなすものとすることができる。
【発明の効果】
【００２０】
本発明の物品収容支持器においては、水平状の吸着対象面上に吸盤部を吸着させることにより、底部凹部が底部において下向きに凹、背部凹部が背部において後向きに凹となる姿勢で前方と上方にわたり開口する状態で収容部が支持部によって支持される。
【００２１】
また、背部凹部が底部において下向きに凹、底部凹部が背部において後向きに凹となる姿勢で前方と上方にわたり開口する状態の収容部を、垂直状の吸着対象面に吸盤部を吸着させて支持部によって支持することができる。
【００２２】
従って、使用箇所の状況に応じ、水平状の吸着対象面と垂直状の吸着対象面を選択して吸盤部を吸着させ、何れの場合も収容部における対象物品の収容又は収容部からの対象物品の取り出しを行うことができる。
【図面の簡単な説明】
【００２３】
【図１】上方斜視図である。
【図２】中央部破砕斜視図である。
【図３】正面図である。
【図４】背面図である。
【図５】下方斜視図である。
【図６】吸盤部を垂直面に吸着させて使用する状態の斜視図である。
【発明を実施するための形態】
【００２４】
[1] 本発明の実施の形態を、図面を参照しつつ説明する。
【００２５】
図面は何れも本発明の実施の形態の一例としての物品収容支持器についてのものである。
【００２６】
(1) この物品収容支持器は、対象物品を収容するための収容部Ａと、対象面に吸着して前記収容部Ａを支持する支持部Ｂからなり、合成高分子エラストマーにより一体成形されたものである。
【００２７】
(2) この物品収容支持器の主たる収容対象物品は、洗面台洗浄用の球状ブラシであるが、これに限るものではない。
【００２８】
(3) 収容部Ａは、球殻の一部に近似した形態である。すなわち、球殻を、前方下部から後方上部に向かう中心線を通り右後方約３０度傾斜した面及び左後方約３０度傾斜した面で切断した下側の部分球殻（従って前記中心線を中心とする約１２０度の中心角部分）に相当する形態である。但し、前記部分球殻のうち前記中心線の上下端部付近は滑らかな湾曲状をなす。
【００２９】
収容部Ａは、下向きに凹の底部凹部Ａ１を底部の内面側に有し、後向きに凹の背部凹部Ａ２を背部の内面側に有すると共に、前方と上方にわたり開口するものであり、且つ、背部凹部Ａ２が下向きに凹の状態で底部に位置し、底部凹部Ａ１が後向きに凹の状態で背部に位置する姿勢とすることができ、その姿勢においても前方と上方にわたり開口するものである。
【００３０】
底部凹部Ａ１と背部凹部Ａ２は、滑らかに連続している。すなわち、球面に近似した一つの滑らかな凹曲面のうち、底部が底部凹部Ａ１を構成し、背部が背部凹部Ａ２を構成する。
【００３１】
(4) 支持部Ｂは、基部Ｂ１ａが円環状をなし、吸着部が略円盤形状をなす下方を向いた吸盤部Ｂ１からなる。吸盤部Ｂ１は、収容部Ａのうち底部凹部Ａ１の下方に位置し、吸盤部Ｂ１が水平な吸着対象面上に吸着した支持部Ｂにより支持された状態の収容部Ａにおいて、底部凹部Ａ１内の最低位置Ａ１ａが吸盤部Ｂ１の基部Ｂ１ａの直上に位置する。吸盤部Ｂ１の外周縁部には、吸盤部Ｂ１の吸着解除の際に摘み上げるための舌片部Ｂ２が設けられている。
【００３２】
(5) 吸着対象面は、主として洗面台又はその近傍における水平状の面又は垂直状の面である。
【００３３】
(6) この物品収容支持器は、全体が合成高分子エラストマーにより一体成形されたものである。
【００３４】
(7) この物品収容支持器は、下向きに凹の状態で底部に位置する底部凹部Ａ１内から液体が外部へ流下し得る底部流出孔部Ｃを有する。
【００３５】
この底部流出孔部Ｃは、吸盤部Ｂ１が水平な吸着対象面上に吸着した支持部Ｂにより支持された状態の収容部Ａにおいて下向きに凹の状態で底部に位置する底部凹部Ａ１内の最低位置Ａ１ａに上部開口を有し、吸盤部Ｂ１の基部Ｂ１ａの側方に下部開口を有する並列した３つの連通孔からなる。
【００３６】
(8) またこの物品収容支持器は、下向きに凹の状態で底部に位置する背部凹部Ａ２内から液体が外部へ流下し得る背部流出孔部Ｄを有する。
【００３７】
この背部流出孔部Ｄは、吸盤部Ｂ１が垂直な吸着対象面に吸着した支持部Ｂにより支持された状態の収容部Ａにおいて下向きに凹の状態で底部に位置する背部凹部Ａ２内の最低位置Ａ１ａに内部開口が位置し、それよりも下方に下部開口が位置する並列した３つの連通孔からなる。
【００３８】
[2] 本発明の実施の形態を、上記以外の形態を含めて更に説明する。
【００３９】
(1) 本発明の物品収容支持器は、対象物品を収容するための収容部と、対象面に吸着して前記収容部を支持する支持部を備えてなる。
【００４０】
(2) 対象物品の例としては、各種洗浄具（例えば、洗面台、流し台、浴槽、食器、調理器具等を、水又は水系液体を使用して洗浄するのに用いるブラシやスポンジ等）、各種清掃具、その他の物を挙げることができる。
【００４１】
(3) 収容部は、下向きに凹の底部凹部を底部の内面側に有し、後向きに凹の背部凹部を背部の内面側に有すると共に、前方と上方にわたり開口するものであり、且つ、背部凹部が下向きに凹の状態で底部に位置し、底部凹部が後向きに凹の状態で背部に位置する姿勢とすることができ、その姿勢においても前方と上方にわたり開口するものである。
【００４２】
底部凹部と背部凹部は、滑らかに連続したもの（例えば、一つの滑らかな凹曲面のうち、底部が底部凹部を構成し、背部が背部凹部を構成するもの）とすることが好ましいが、必ずしもこれに限らない。
【００４３】
底部凹部及び背部凹部は、それぞれ、例えば、凹曲面のみにより構成されるもの、凹曲面と平面により構成されるもの、又は、交差する平面により箱状に構成されるものとすることができる。また、底部凹部及び背部凹部は、外側縁部に壁状部又は立ち上げ部を有するものとすることもできる。
【００４４】
底部凹部及び背部凹部を構成し得る凹曲面としては、例えば、凹曲面上の任意の位置において何れの方向においても湾曲した凹曲面、又は、凹曲面上の任意の位置における何れか一方向には湾曲しない凹曲面を挙げることができる。
【００４５】
底部凹部及び背部凹部、又は、底部凹部及び背部凹部を含む収容部の内面側は、例えば、球面、楕円体面、又はその他の曲面体表面の一部に沿った形態とすることができる。この場合、球状、楕円体状又はその他の曲面体状の対象物品の収容を安定的に行う上で適する。この場合の底部凹部及び背部凹部、又は、底部凹部及び背部凹部を含む収容部の形態は、例えば、球殻、楕円体殻、若しくはその他の曲面体殻の一部、又はこれらに近似した形態とすることができる。
【００４６】
また、底部凹部及び背部凹部、又は、底部凹部及び背部凹部を含む収容部の内面側は、例えば、立方体面、直方体面、又はその他の多面体面の一部に沿った形態とすることができる。この場合の底部凹部及び背部凹部、又は、底部凹部及び背部凹部を含む収容部の形態は、例えば、立方体殻、直方体殻、若しくはその他の多面体殻の一部、又はこれらに近似した形態とすることができる。
【００４７】
(4) 支持部は、対象面に吸着して収容部を支持するものであり、吸着部が下方を向いた吸盤部を有し、その吸盤部は、収容部のうち底部凹部の下方に位置する。支持部は、例えば、吸盤部からなるものでもよく、吸盤部と収容部の間に支柱部等が介在するものであってもよい。
【００４８】
水平状の吸着対象面上に吸盤部を吸着させることにより、底部凹部が底部において下向きに凹、背部凹部が背部において後向きに凹となる姿勢で収容部が支持部によって支持される。
【００４９】
収容部を、背部凹部が下向きに凹の状態で底部に位置し、底部凹部が後向きに凹の状態で背部に位置する姿勢とした場合、吸盤部は、吸着部が後方を向いた状態で底部凹部の後方に位置する。この状態で吸盤部を垂直状の吸着対象面に吸着させることにより、このような姿勢の収容部を支持部によって支持することができる。
【００５０】
吸盤部は、１つでよいが、複数とすることもできる。
【００５１】
支持部は、１箇所設ければよいが、複数箇所設けることもできる。１箇所の支持部には、吸盤部を１つ又は複数設けることができる。
【００５２】
(5) 吸着対象面の例としては、洗面台、流し台、浴槽等若しくはそれらの近傍又はその他の箇所（床、棚、テーブル、机、その他の家具等）における水平状の面、洗面台、流し台、浴槽等若しくはそれらの近傍又はその他の箇所（壁、棚、テーブル、机、その他の家具等）における垂直状の面を挙げることができる。
【００５３】
(6) 本発明の物品収容支持器は、全体又は部分（例えば吸盤部）が可撓性材料（例えば、可撓性の合成樹脂、合成ゴム等のエラストマー等）からなるものとすることができる。物品収容支持器は、全体（又は、収容部と支持部）が一体をなすもの、特に一体成形されてなるものであることが望ましい。
【００５４】
(7) 物品収容支持器は、下向きに凹の状態で底部に位置する底部凹部内から液体が外部へ流下し得る底部流出孔部を有するものとすることが好ましい。
【００５５】
このような底部流出孔部は、底部凹部又は底部凹部を含む収容部の形態や材料に応じ、例えば、底部凹部内に上部開口を有し底部凹部の下方に下部開口を有する連通孔状をなすもの（例えば、孔状の連通路）、網目状部、透孔部等とすることができる。
【００５６】
底部流出孔部が、底部凹部内に上部開口を有し底部凹部の下方に下部開口を有する連通孔状をなす場合の例としては、吸盤部が水平な吸着対象面上に吸着した支持部により支持された状態の収容部において下向きに凹の状態で底部に位置する底部凹部内の最低位置が前記吸盤部の基部の直上に位置し、底部流出孔部が、前記底部凹部内の最低位置に上部開口を有し、吸盤部の基部の側方に下部開口を有する連通孔状をなす場合を挙げることができる。
【００５７】
(8) 物品収容支持器は、下向きに凹の状態で底部に位置する背部凹部内から液体が外部へ流下し得る背部流出孔部を有するものとすることが好ましい。
【００５８】
このような背部流出孔部は、背部凹部又は背部凹部を含む収容部の形態や材料に応じ、例えば、背部凹部内に内部開口を有し背部凹部の後方に外部開口を有する連通孔状をなすもの（例えば、孔状の連通路）、網目状部、透孔部等とすることができる。
【００５９】
背部流出孔部が、背部凹部内に内部開口を有し背部凹部の後方に外部開口を有する連通孔状をなすものの例としては、吸盤部が垂直な吸着対象面に吸着した支持部により支持された状態の収容部において下向きに凹の状態で底部に位置する背部凹部内の最低位置に内部開口が位置し、それよりも下方に下部開口が位置する連通孔状をなす場合を挙げることができる。
【００６０】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【符号の説明】
【００６１】
Ａ      収容部
Ａ１    底部凹部
Ａ１ａ  最低位置
Ａ２    背部凹部
Ｂ      支持部
Ｂ１    吸盤部
Ｂ１ａ  基部
Ｂ２    舌片部
Ｃ      底部流出孔部
Ｄ      背部流出孔部
【図１】
2014132953.tif 000003
【図２】
2014132953.tif 000004
【図３】
2014132953.tif 000005
【図４】
2014132953.tif 000006
【図５】
2014132953.tif 000007
【図６】
2014132953.tif 000008